(57)【要約】【課題】侵入者に的確な威嚇を行なう防犯装置を提供すること。【解決手段】侵入者の周囲の環境を測定する測定手段１２と、侵入者の周囲の環境を変化させる出力手段１３と、測定手段１２の測定結果に伴い出力手段１３を制御する制御手段１４とから構成することで、周囲の環境によって的確に侵入者を威嚇する。【選択図】  図１
2005018126.tif 000002
【特許請求の範囲】
【請求項１】
侵入者を検知する検知手段と、侵入者の周囲の環境を測定する測定手段と、侵入者の周囲の環境を変化させる出力手段と、前記検知手段が侵入者を検知した際に前記測定手段の測定結果に伴い前記出力手段を制御する制御手段とから構成される防犯装置。
【請求項２】
制御手段は、測定手段で環境の変化度合いを測定しながら、出力手段を制御することを特徴とする請求項１に記載の最終退室監視端末。
【請求項３】
制御手段は、検知手段が侵入者を検知しなくなった際に出力手段を制御し検知前の環境に戻すことを特徴とする請求項１に記載の防犯装置。
【請求項４】
測定手段と出力手段を変化させる環境により複数備えたことを特徴とする請求項１に記載の防犯装置。
【請求項５】
制御手段は複数の出力手段で変化させる環境の順序を制御できることを特徴とする請求項４に記載の防犯装置。
【請求項６】
制御手段は、出力手段を制御した際、測定手段で測定される環境の変化度合いが少ない場合は、他の出力手段の制御を行なうことを特徴とする請求項４に記載の防犯装置。
【請求項７】
現在時刻を計時する計時手段を備え、制御手段は時刻によって出力手段で変化させる環境の順序を制御することを特徴とする請求項４に記載の防犯装置。
【請求項８】
測定手段が測定し、出力手段が変化させる対象となる環境が音量であることを特徴とする請求項１〜７のいずれか１項記載に記載の防犯装置。
【請求項９】
測定手段が測定し、出力手段が変化させる対象となる環境が音質であることを特徴とする請求項１〜７のいずれか１項記載に記載の防犯装置。
【請求項１０】
測定手段が測定し、出力手段が変化させる対象となる環境が明るさであることを特徴とする請求項１〜７のいずれか１項記載に記載の防犯装置。
【請求項１１】
測定手段が測定し、出力手段が変化させる対象となる環境が臭いであることを特徴とする請求項１〜７のいずれか１項記載の防犯装置。
【請求項１２】
測定手段が測定し、出力手段が変化させる対象となる環境が風量であることを特徴とする請求項１〜７のいずれか１項記載の防犯装置。
【請求項１３】
請求項１〜１２のいずれか１項記載の防犯装置の機能の少なくとも一部をコンピュータに実現させるためのプログラム。
【発明の詳細な説明】
【０００１】
【発明の属する技術分野】
本発明は、家屋等への侵入者に対し、防犯のため威嚇を行なう防犯装置を提供するものである。
【０００２】
【従来の技術】
従来、防犯のため、侵入者を検知した際に威嚇を行なう防犯装置がいくつか考案されている。例えば、所定エリア内に侵入する人体を検知したときに警報音を出力する防犯センサが考案されている（特許文献１参照）。
【０００３】
【特許文献１】
特開２０００−９９８３５号公報
【０００４】
【発明が解決しようとする課題】
しかしながら、前記従来の構成では、侵入者を検出した際の威嚇方法が周囲の環境によらず画一的であった。例えば、音により侵入者を威嚇するものは、昼夜を問わず大音量で威嚇するため、真に侵入者を検出した際には威嚇効果があるものの、誤報した際には装置を所有している住人、並びに周囲の住人に対して大変な不快感を与えていた。また、誤報を恐れて折角防犯装置があるのに電源を切られていたり、防犯装置自体の普及が進まないといった弊害を生じていた。
【０００５】
本発明は、前記従来の課題を解決するもので、周囲の環境に配慮しながら、侵入者に対して効率よく威嚇を行なう防犯装置を提供することを目的とする。
【０００６】
【課題を解決するための手段】
前記従来の課題を解決するために、本発明の防犯装置は周囲の環境を測定しながら威嚇を行なうようにしたものである。これにより、侵入者に対し的確に威嚇するとともに、万一、誤報した際にも住人に与える不快感を抑えることが可能となる。
【０００７】
【発明の実施の形態】
請求項１に記載の発明は、侵入者を検知する検知手段と、侵入者の周囲の環境を測定する測定手段と、侵入者の周囲の環境を変化させる出力手段と、検知手段が侵入者を検知した際に測定手段の測定結果に伴い出力手段を制御する制御手段とから構成することにより、侵入者の存在する環境に応じて、威嚇に用いる環境を変化させることができるため効率よく侵入者に威嚇を行なう防犯装置を提供することができる。
【０００８】
請求項２に記載の発明は、特に請求項１に記載の防犯装置を、制御手段は測定手段で環境の変化度合いを測定しながら、出力手段を制御するよう構成することにより、制御手段は的確に出力手段を制御できるため、効率よく侵入者に威嚇を行なう防犯装置を提供することができる。
【０００９】
請求項３に記載の発明は、特に請求項１に記載の防犯装置を、制御手段は検知手段が侵入者を検知しなくなった際に出力手段を制御し検知前の環境に戻すよう構成することにより、侵入者がいなくなった後は無駄な威嚇を行わないため、効率よく侵入者に威嚇を行なう防犯装置を提供することができる。
【００１０】
請求項４に記載の発明は、特に請求項１に記載の防犯装置を、測定手段と出力手段を変化させる環境により複数備えるよう構成することにより、侵入者の周囲の環境に合わせて変化させる環境を選択できるため、効率よく侵入者に威嚇を行なう防犯装置を提供することができる。
【００１１】
請求項５に記載の発明は、特に請求項４に記載の防犯装置を、制御手段は複数の出力手段で変化させる環境の順序を制御できること構成することにより、侵入者の周囲の環境に合わせて変化させる環境の順序を選択できるため、効率よく侵入者に威嚇を行なう防犯装置を提供することができる。
【００１２】
請求項６に記載の発明は、特に請求項４に記載の防犯装置を、制御手段は出力手段を制御した際、測定手段で測定される環境の変化度合いが少ない場合は、他の出力手段の制御を行なう構成することにより、例えば、照明がついており光による威嚇効果が出ない場合は音による威嚇に切り替えるという様に、効率よく侵入者に威嚇を行なう防犯装置を提供することができる。
【００１３】
請求項７に記載の発明は、特に請求項４に記載の防犯装置を、現在時刻を計時する計時手段を備え、制御手段は時刻によって前記出力手段で変化させる環境の順序を制御するよう構成することにより、例えば、深夜はまず光で威嚇し、次に続いて音で威嚇するが、昼間は音による威嚇をまず行うという様に、時刻に合わせて効率よく侵入者に威嚇を行なう防犯装置を提供することができる。
【００１４】
請求項８に記載の発明は、特に請求項１〜７に記載の防犯装置を、測定手段が測定し、出力手段が変化させる対象となる環境が音量であるよう構成することにより、侵入者に対して威嚇効果が高く、効率よく侵入者に威嚇を行なう防犯装置を提供することができる。
【００１５】
請求項９に記載の発明は、特に請求項１〜７に記載の防犯装置を、測定手段が測定し、出力手段が変化させる対象となる環境が音質であるよう構成することにより、音量を上げることなく効率よく侵入者に威嚇を行なう防犯装置を提供することができる。
【００１６】
請求項１０に記載の発明は、特に請求項１〜７に記載の防犯装置を、測定手段が測定し、出力手段が変化させる対象となる環境が明るさであるよう構成することにより、夜間の侵入者に対して的確に威嚇できるとともに、万一誤報した場合でも近隣の住居の不快感を抑えることができ、効率よく侵入者に威嚇を行なう防犯装置を提供することができる。
【００１７】
請求項１１に記載の発明は、特に請求項１〜７に記載の防犯装置を、測定手段が測定し、出力手段が変化させる対象となる環境が臭いであるよう構成することにより、万一誤報した場合でも近隣の住居の不快感を抑えることができ、効率よく侵入者に威嚇を行なう防犯装置を提供することができる。
【００１８】
請求項１２に記載の発明は、特に請求項１〜７に記載の防犯装置を、測定手段が測定し、出力手段が変化させる対象となる環境が風量であるよう構成することにより、万一誤報した場合でも近隣の住居の不快感を抑えることができ、効率よく侵入者に威嚇を行なう防犯装置を提供することができる。
【００１９】
請求項１３に記載の発明は、請求項１〜１２のいずれか１項記載の防犯装置の機能の少なくとも一部をコンピュータに実行させるためのプログラムである。そして、プログラムであるので汎用コンピュータやサーバーを用いて本発明の最終退室監視端末の一部あるいは全てを容易に実現することができる。また記憶媒体に記憶したり通信回線を用いてプログラムを配信したりすることでプログラムの配布やインストール作業が簡単にできる。
【００２０】
【実施例】
以下、本発明の実施例について、図面を参照しながら説明する。
【００２１】
（実施例１）
図１は、本発明の第１の実施例における防犯装置の基本構成図を示す。
【００２２】
図１において、１０は防犯装置であり、侵入者を検知する検知手段１１、侵入者の周囲の環境を測定する測定手段１２、侵入者に対し威嚇を行なう出力手段１３、測定手段１２の測定結果に基づき出力手段１３を制御する制御手段１４から構成される。検知手段１１には侵入者の発する熱線（赤外線）を検知する人感センサ等を利用する。
【００２３】
次に、測定手段が測定し出力手段が変化させる環境として音量を用いた場合の構成例を図２を用いて説明する。
【００２４】
図２において２０は防犯装置である。２１は検知手段である。２２は騒音測定手段であり、周囲の騒音レベルを測定する。２３は警報音出力手段であり、侵入者に対して警報音により威嚇を行なう。２４は制御手段であり騒音測定手段２２の騒音測定結果に基づき警報音出力手段２３の出力する警報音の音量を、騒音レベルよりも一定レベルだけ大きくなるよう制御する。従って、深夜のような静かな騒音レベルの場合は、音量レベルの小さな警報音を、昼間のように高い騒音が測定される場合は、音量レベルの大きな警報音を出力する。
【００２５】
侵入者の感覚は、侵入行為を行なう際、敏感になっているためわずかな環境の変化にも反応する。従って、威嚇を行なう際は周囲の環境に対して、相対的な変化を起こすことにより効率的な威嚇を行なうことができる。
【００２６】
図３は、本発明の第１の実施例における防犯装置の動作手順を示す図である。
【００２７】
検知手段２１が侵入者を検知（Ｓ１）すると、制御手段２４は騒音測定手段２２から、騒音レベルを読み込む（Ｓ２）。次に、制御手段２４は読み込んだ騒音レベルから、一定レベルだけ大きくなるよう警報音量を設定し（Ｓ３）、警報音出力手段２３を制御する（Ｓ４）。警報音出力手段２３は制御手段２４が設定した警報音量で警報音を出力する（Ｓ５）。
【００２８】
また、警報音出力手段２３が警報音を出力している際に、制御手段２４が騒音測定手段２２から騒音レベルを読み込み（Ｓ６）、警報音を出力する前と騒音レベルを比較、再設定し（Ｓ７）、警報音量を調整（Ｓ８）すればより的確な警報音量で威嚇を行なうことができる（Ｓ９）。
【００２９】
また、検知手段２１が侵入者を検知しなくなったら（Ｓ１０）、制御手段２４は警報音を停止するよう警報音出力手段２３を制御する（Ｓ１１）が、警報音を出力しているにも関わらず、侵入者を検知し続ける場合は（Ｓ１２）、制御手段２４は警報音量を上げるよう警報音出力手段２３を制御し（Ｓ１３）、威嚇を強化する（Ｓ１４）。
【００３０】
（実施例２）
図４は、本発明の第２の実施例における防犯装置の基本構成図を示す。
【００３１】
図４において、３０は防犯装置であり、侵入者を検知する検知手段３１、侵入者の周囲の環境を測定するの複数の測定手段３２Ａ〜３２Ｘ、侵入者に対し威嚇を行なう複数の出力手段３３Ａ〜３３Ｘ、測定手段３２Ａ〜３２Ｘの測定結果に基づき出力手段３３Ａ〜３３Ｘを制御する制御手段３４から構成される。
【００３２】
次に、測定手段が測定し出力手段が変化させる環境として明るさと音量を用いた場合の構成例を図５を用いて説明する。
【００３３】
図５において４０は防犯装置である。４１は検知手段である。４２Ａは測光手段であり、周囲の明るさを測定する。４３Ａは照明手段であり、侵入者に対して照明により威嚇を行なう。４２Ｂは騒音測定手段であり、周囲の騒音レベルを測定する。４３Ｂは警報音出力手段であり、侵入者に対して警報音により威嚇を行なう。４４は制御手段であり、測光手段４２Ａの測光結果に基づき照明手段４３Ａの出力する照明の明るさを、測定された周囲の明るさが一定レベルだけ大きくなるよう制御する。また制御手段４４は、騒音測定手段４２Ｂの騒音測定結果に基づき警報音出力手段４３Ｂの出力する警報音の音量を、騒音レベルよりも一定レベルだけ大きくなるよう制御する。
【００３４】
次に、本発明の第２の実施例における防犯装置の動作手順を説明する。
【００３５】
図６は、本発明の第２の実施例における防犯装置の動作手順を示す図である。
【００３６】
第２の実施例では、侵入者を検知すると予め定められた手順で、複数の環境を変化させることにより、侵入者に威嚇を行なう。この例では、まず、光で侵入者を威嚇し、次に音で威嚇する例を示している。
【００３７】
検知手段４１が侵入者を検知（Ｓ２１）すると、制御手段４４は、測光手段４２Ａから、明るさを読み込む（Ｓ２２）。次に、制御手段４４は読み込んだ明るさより一定レベルだけ大きくなるよう照明の明るさを設定し（Ｓ２３）、照明手段４３Ａを制御する（Ｓ２４）。照明手段４３Ａは制御手段４４が設定した明るさで照明を行なう（Ｓ２５）。照明出力を行なったにも関わらず、侵入者を検知し続ける場合（Ｓ２６）、制御手段４４は騒音測定手段４２Ｂから、騒音レベルを読み込む（Ｓ２７）、制御手段４４は読み込んだ騒音レベルから、一定レベルだけ大きくなるよう警報音量を設定し（Ｓ２８）、警報音出力手段４３Ｂを制御する（Ｓ２９）。警報音出力手段４３Ｂは制御手段４４が設定した警報音量で警報音を出力する（Ｓ３０）。
【００３８】
照明手段４３Ａが照明を出力している際に、制御手段４４が測光手段４２Ａから周囲の明るさを読み込み、照明を出力する前と明るさを比較すればより的確な明るさで威嚇を行なうことができる。また、昼間のように周囲が明るく、照明により明るさの変化を充分起こせなかったことを検出した場合は、警報音による威嚇に速やかに移行することができる。
【００３９】
（実施例３）
図７は、本発明の第３の実施例における防犯装置の構成図を示す。
【００４０】
本実施例は、第２の実施例における侵入者を威嚇するために変化させる環境の順序を、時刻によって変化させるものである。図７において、５０は防犯装置であり、５１は検知手段である。５２Ａは測光手段であり、周囲の明るさを測定する。５３Ａは照明手段であり、侵入者に対して照明により威嚇を行なう。５２Ｂは騒音測定手段であり、周囲の騒音レベルを測定する。５３Ｂは警報音出力手段であり、侵入者に対して警報音により威嚇を行なう。５４は制御手段であり、測光手段５２Ａの測光結果に基づき照明手段５３Ａの出力する照明の明るさを、測定された周囲の明るさが一定レベルだけ大きくなるよう制御する。また制御手段５４は、騒音測定手段５２Ｂの騒音測定結果に基づき警報音出力手段５３Ｂの出力する警報音の音量を、騒音レベルよりも一定レベルだけ大きくなるよう制御する。５５は現在時刻を計時する計時手段である。制御手段５４は内部に参照テーブルを有しており、参照テーブルには、時刻により変化させる環境の順序が予め書き込まれている。参照テーブルの構成例も図９に示す。この構成例では、一日の時間帯を４つに区分し、それぞれの時間区分により変化させる環境の順序を変えている、例えば、照明による威嚇効果が期待できない昼間では、照明による威嚇を行なわず、警報音による威嚇のみを行なうよう設定されている。
【００４１】
次に、本発明の第３の実施例における防犯装置の動作手順を説明する。
【００４２】
図８は、本発明の第３の実施例における防犯装置の動作手順を示す図である。
【００４３】
検知手段５１が侵入者を検知（Ｓ４１）すると、制御手段５４は、計時手段５５から現在時刻を読み込む（Ｓ４２）。次に、制御手段５４は読み込んだ時刻と内部の参照テーブルに書き込まれた内容を参照する（Ｓ４３）。例えば、夜間であれば、まず、照明により明るさの変化による威嚇動作を行ない（Ｓ４４）、次に、警報音による騒音の変化による威嚇動作を行なう（Ｓ４５）。また、昼間であれば、明るさの変化による威嚇動作は行なわず、警報音による威嚇動作のみを行なう（Ｓ５４）。
【００４４】
以上の実施例では、音量と明るさを変化させることによる威嚇の例で説明してきたが、本発明の防犯装置では、対象となる環境を測定する測定手段、及び、変化させる出力手段を設けることで、変化させる環境として周囲騒音には含まれない周波数成分を持つ音、臭い、また、触覚を刺激する風なども変化させる環境として利用することができる。
【００４５】
なお、本実施例の各手段をコンピュータやマイコンを用いて防犯装置の一部あるいは全てを実現するプログラムであってもよい。またそのプログラムを記憶媒体に記憶したり通信回線を用いてプログラムを配信したりすることでプログラムの配布やインストール作業が簡単にできるメリットがある。
【００４６】
【発明の効果】
以上のように、本発明によれば、周囲の環境によって的確に侵入者を威嚇するとともに、万一誤報した際も住人の不快感を抑えることが可能な防犯装置を提供することができる。
【図面の簡単な説明】
【図１】本発明の第１の実施例における防犯装置の基本構成図
【図２】本発明の第１の実施例における変化させる環境として音量を用いた場合の防犯装置の構成例を示す図
【図３】本発明の第１の実施例における防犯装置の動作手順を示す図
【図４】本発明の第２の実施例における防犯装置の基本構成図
【図５】本発明の第２の実施例における変化させる環境として明るさと音量を用いた場合の防犯装置の構成例を示す図
【図６】本発明の第２の実施例における防犯装置の動作手順を示す図
【図７】本発明の第３の実施例における防犯装置の構成図
【図８】本発明の第３の実施例における防犯装置の動作手順を示す図
【図９】本発明の第３の実施例における参照テーブルの構成例図
【符号の説明】
１０、２０、３０、４０、５０  防犯装置
１１、２１、３１、４１  検知手段
１２、３２Ａ、３２Ｘ  測定手段
１３、３３Ａ、３３Ｘ  出力手段
１４、２４、３４、４４、５４  制御手段
２２、４２Ｂ、５２Ｂ  騒音測定手段
２３、４３Ｂ、５３Ｂ  警報音出力手段
４２Ａ、５２Ａ  測光手段
４３Ａ、５３Ａ  照明手段
５５  計時手段
【図１】
2005018126.tif 000003
【図２】
2005018126.tif 000004
【図３】
2005018126.tif 000005
【図４】
2005018126.tif 000006
【図５】
2005018126.tif 000007
【図６】
2005018126.tif 000008
【図７】
2005018126.tif 000009
【図８】
2005018126.tif 000010
【図９】
2005018126.tif 000011